(57)【要約】【課題】  測定装置により測定された生体情報を、所定の端末に転送するにあたり、周囲の電磁環境への影響を抑えつつ、かつ少ない消費電力で実現できるようにする。【解決手段】  生体情報を測定する生体情報測定装置であって、前記生体情報の測定を契機として、所定周期の制御信号の出力を開始するタイミング発生回路３０６と、タイミング発生回路３０６において出力された制御信号にあわせて、前記生体情報の送信を要求する要求信号を送信する回路（３０３、３０５）と、前記要求信号を送信した後の一定期間内に、所定の信号を受信した場合に、前記生体情報を送信する回路（３０３、３０５）とを備える。【選択図】  図３
2007144142.tif 000002
【特許請求の範囲】
【請求項１】
生体情報を測定する生体情報測定装置であって、
前記生体情報の測定を契機として、所定周期の制御信号の出力を開始する制御信号出力手段と、
前記制御信号出力手段において出力された制御信号にあわせて、前記生体情報の送信を要求する要求信号を送信する要求信号送信手段と、
前記要求信号に対する承認信号を受信する承認信号受信手段と、
前記要求信号を送信した後の一定期間内に、前記承認信号受信手段が前記承認信号を受信した場合に、前記生体情報を送信する生体情報送信手段と
を備えることを特徴とする生体情報測定装置。
【請求項２】
前記生体情報を送信した後の一定期間内に、所定の信号を受信した場合に、前記制御信号の出力を終了することを特徴とする請求項１に記載の生体情報測定装置。
【請求項３】
前記生体情報送信手段は、
パルス位置変調方式により前記生体情報を送信することを特徴とする請求項１に記載の生体情報測定装置。
【請求項４】
前記要求信号を送信した後の一定期間だけ前記承認信号受信手段が動作することを特徴とする請求項１に記載の生体情報測定装置。
【請求項５】
前記生体情報は、
体温、血圧、血糖値、血中酸素飽和度、脈拍数、心拍数、呼吸数、運動量のうち少なくとも１つを含むことを特徴とする請求項１に記載の生体情報測定装置。
【請求項６】
生体情報を測定する生体情報測定装置と、該生体情報測定装置と通信する通信装置と、を備える生体情報通信システムであって、
前記生体情報測定装置は、
前記生体情報の測定を契機として、所定周期の制御信号の出力を開始する制御信号出力手段と、
前記制御信号出力手段において出力された制御信号にあわせて、前記生体情報の送信を要求する要求信号を送信する要求信号送信手段と、
前記要求信号に対する承認信号を受信する承認信号受信手段と、
前記要求信号を送信した後の一定期間内に、前記承認信号受信手段が該要求信号に対する承認信号を受信した場合に、前記生体情報を送信する生体情報送信手段と、を備え、
前記通信装置は、
前記要求信号を受信する要求信号受信手段と、
前記一定期間内に前記生体情報測定装置が受信できるよう、前記要求信号に対する承認信号を送信する承認信号送信手段と、
前記生体情報を受信する生体情報受信手段と
を備えることを特徴とする生体情報通信システム。
【請求項７】
前記通信装置は、
前記生体情報測定装置が前記生体情報を送信した後の一定期間内に受信できるように、ＡＣＫ信号を送信するＡＣＫ信号送信手段を更に備えることを特徴とする請求項６に記載の生体情報通信システム。
【請求項８】
前記生体情報測定装置は、
前記生体情報を送信した後の一定期間内に、ＡＣＫ信号を受信した場合に、前記制御信号の出力を終了することを特徴とする請求項６に記載の生体情報通信システム。
【請求項９】
前記生体情報送信手段は、
前記生体情報を、パルス位置変調方式により送信することを特徴とする請求項６に記載の生体情報通信システム。
【請求項１０】
前記要求信号を送信した後の一定期間だけ前記承認信号受信手段が動作することを特徴とする請求項６に記載の生体情報通信システム。
【請求項１１】
前記生体情報は、
体温、血圧、血糖値、血中酸素飽和度、脈拍数、心拍数、呼吸数、運動量のうち少なくとも１つを含むことを特徴とする請求項６に記載の生体情報通信システム。
【請求項１２】
生体情報を測定する生体情報測定装置における情報送信方法であって、
前記生体情報の測定を契機として、所定周期の制御信号の出力を開始する制御信号出力工程と、
前記制御信号出力工程において出力された制御信号にあわせて、前記生体情報の送信を要求する要求信号を送信する要求信号送信工程と、
前記要求信号に対する承認信号を受信する承認信号受信工程と、
前記要求信号を送信した後の一定期間内に、前記承認信号受信工程において前記承認信号を受信した場合に、前記生体情報を送信する生体情報送信工程と
を備えることを特徴とする情報送信方法。
【請求項１３】
前記生体情報を送信した後の一定期間内に、所定の信号を受信した場合に、前記制御信号の出力を終了することを特徴とする請求項１２に記載の情報送信方法。
【請求項１４】
前記生体情報送信工程は、
パルス位置変調方式により前記生体情報を送信することを特徴とする請求項１２に記載の情報送信方法。
【請求項１５】
前記要求信号を送信した後の一定期間だけ前記承認信号受信工程が動作することを特徴とする請求項１２に記載の情報送信方法。
【請求項１６】
前記生体情報は、
体温、血圧、血糖値、血中酸素飽和度、脈拍数、心拍数、呼吸数、運動量のうち少なくとも１つを含むことを特徴とする請求項１２に記載の情報送信方法。
【発明の詳細な説明】
【技術分野】
【０００１】
本発明は、生体情報を測定する測定装置により測定された生体情報を、所定の端末に送信するための送信技術に関するものである。
【背景技術】
【０００２】
従来より、医療施設では、患者の健康状態を把握する目的で、体温や血圧、血糖値等の各種生体情報の収集ならびに管理を行っている。
【０００３】
通常、収集された生体情報はキーボード等を介して測定者が手入力することにより電子データ化され、医療データサーバに格納された後、当該医療データサーバにて管理される。
【０００４】
ここで、患者の生体情報を電子データ化するにあたりキーボード等を介して手入力により行ったのでは測定者の作業負荷が大きいことから、最近では、測定した生体情報を無線通信により転送する方法が検討されている。
【０００５】
具体的には、測定装置により測定された生体情報を所定の通信装置（例えば、患者のベッドサイドにある端末やＰＤＡ等のハンディ端末）に一旦転送し、該通信装置が施設内ＬＡＮを介して当該転送された生体情報を医療データサーバに送信するシステムなどが考えられている。
【０００６】
かかるシステムのように、無線通信による生体情報の転送が可能であれば、測定者および患者は測定装置に接続されたであろう配線の煩わしさから解放されるうえ、例えば、測定者にとっては測定値の転記の作業から解放されるので、作業負荷が減り、かつ作業上のミスも低減できるようになるなど、様々なメリットが得られる。
【０００７】
そして、かかるシステムを実現するための生体情報の転送手段としては、例えば、電波による無線通信や電磁伝送による無線通信（ＲＦ−ＩＤ等）などが考えられる。
【特許文献１】特開２００３−７６７９１号公報
【発明の開示】
【発明が解決しようとする課題】
【０００８】
しかしながら、電波による無線通信の場合、無線通信回路自身が電源を消費するため、体温計や血圧計、血糖計などの生体情報測定装置（以下、単に「測定装置」と称す）のように、測定のための小型の内部電源しか搭載していない装置には不適当であるという問題がある。かかる装置に電波用の無線通信回路を搭載することとすると、測定者は頻繁に電池交換を行ったり、充電を行ったりしなければならず、利便性が悪いからである。
【０００９】
一方、電磁伝送による無線通信（ＲＦ−ＩＤ等）の場合、外部から電源を供給して通信を行うため、かかる問題を回避できる反面、電源供給にあたり電磁波を用いる必要があり、周囲の電磁環境を乱すという問題がある。特にペースメーカなどは電磁波の影響で誤作動を起こす可能性が指摘されていることから、ベッドサイドでの利用に際して電磁環境が大きく乱れる電源供給方法を適用するのは妥当ではない。
【００１０】
本発明は、上記課題に鑑みてなされたものであり、測定装置により測定された生体情報を、所定の端末に転送するにあたり、周囲の電磁環境への影響を抑えつつ、かつ少ない消費電力で実現できるようにすることを目的とする。
【課題を解決するための手段】
【００１１】
上記の目的を達成するために、例えば、本発明に係る生体情報測定装置は、以下のような構成を備える。即ち、
生体情報を測定する生体情報測定装置であって、
前記生体情報の測定を契機として、所定周期の制御信号の出力を開始する制御信号出力手段と、
前記制御信号出力手段において出力された制御信号にあわせて、前記生体情報の送信を要求する要求信号を送信する要求信号送信手段と、
前記要求信号に対する承認信号を受信する承認信号受信手段と、
前記要求信号を送信した後の一定期間内に、前記承認信号受信手段が前記承認信号を受信した場合に、前記生体情報を送信する生体情報送信手段とを備える。
【発明の効果】
【００１２】
本発明によれば、測定装置により測定された生体情報を、所定の端末に転送するにあたり、周囲の電磁環境への影響を抑えつつ、少ない消費電力で実現できるようになる。
【発明を実施するための最良の形態】
【００１３】
以下、必要に応じて添付図面を参照しながら本発明の各実施形態について詳細に説明する。
【００１４】
［第１の実施形態］
１．生体情報収集・管理システムの構成
図１は本発明の一実施形態にかかる生体情報通信システム（１６０）を備える生体情報収集・管理システム（１００）の構成を示す図である。
【００１５】
１１０は測定装置であり、体温計、血圧計、血糖計等、患者の生体情報を測定するための装置の総称である。１２０は通信装置であり、測定装置１１０から転送される患者の生体情報（測定装置により測定されたデータであることから、以下、「測定データ」ともいう）を一旦受信し、当該生体情報をＬＡＮ１５０等を介して医療データサーバ１３０に送信する。
【００１６】
なお、通信装置１２０は、患者のベッドサイドに固定配置された（つまり、患者ごとに割り当てられた）専用端末であっても、ＰＤＡ等のハンディ端末やノートパソコンにＵＳＢ接続されたリーダ端末のように複数の患者のデータを受信できるタイプのものであってもよい。複数の患者のデータを受信できるタイプのものを使用する場合は、患者とその患者より測定された測定データとを関連付ける何らかの手段が別途用意されていることが必要となる。例えば、患者と測定データとを関連付ける方法として、患者の手首に巻いたリストバンドからバーコードとして印刷された患者ＩＤを通信装置１２０に読み込み、それに続けて測定データを送信する方法などが考えられる。
【００１７】
１３０は医療データサーバであり、受信した測定データを患者ＩＤと対応付けて記憶するための専用アプリケーションを搭載した汎用計算機または専用端末である。
【００１８】
２．各装置の構成
以下、生体情報収集・管理システム１００を構成する各装置の概要について説明する。
【００１９】
２．１  測定装置（１１０）
測定装置１１０は、サーミスタ・圧力センサ・フォトセンサ等のセンサ部１１２から得られた電気的情報から、必要に応じて所定の処理を行い測定データを算出したり、その他各部を制御する演算・制御部１１３と、測定データや測定装置の状態等、各種情報を表示するためのＬＣＤやＬＥＤ等の表示部１１４と、測定データを通信装置１２０に転送するための無線通信部１１１と、電源を供給する電源部１１５とを備える。
【００２０】
２．２  通信装置（１２０）
通信装置１２０は、測定装置１１０の無線通信部１１１と無線通信を行い、測定データを受信するための無線通信部１２１と、測定装置１１０から受信した測定データと通信装置ＩＤ（通信装置ごとに規定されたＩＤ）とを医療データサーバ１３０に送信するための通信部１２４と、各部を制御する制御部１２２と、測定データや通信装置の状態等、各種情報を表示するためのＬＣＤやＬＥＤ等の表示部１２３と、電源を供給する電源部１２５とを備える。なお、通信部１２４による通信は、有線でも無線でもよく、ＴＣＰ／ＩＰやＲＳ２３２Ｃ等のプロトコルにより実現されるものとする。
【００２１】
２．３  医療データサーバ（１３０）
医療データサーバ１３０は、通信装置１２０とＴＣＰ／ＩＰやＲＳ２３２Ｃ等のプロトコルで通信を行い、測定データを受信する通信部１３１と、通信装置１２０を使用している患者を特定可能にするため、予め記憶されている“患者ＩＤと通信装置ＩＤとの対応関係を記載した関係情報ファイル”に基づき通信部１３１が受信した測定データと患者ＩＤとを対応付けるデータ処理部１３２と、測定データを患者ＩＤと対応付けて記憶する記憶部（ハードディスク）１３３とを備える。なお、上記“患者ＩＤと通信装置ＩＤとの対応関係を記載した関係情報ファイル”は、記憶部（ハードディスク）１３３に記憶されていてもよく、他の記憶媒体に記憶されていてもよい。また、通信装置１２０がＰＤＡ等のハンディ端末やノートパソコンにＵＳＢ接続されたリーダ端末のように複数の患者の測定データを受信できるタイプのものの場合は、データ送信前に患者ＩＤと関連付けがなされた状態で、測定データが医療データサーバ１３０に送られてくるので、上記対応付けを行う必要はない。
【００２２】
３．測定装置１１０の具体的構成
３．１  体温計１１０の外観構成
図２に測定装置１１０の１つの具体例である体温計の外観構成を示す。体温計２００は、ＬＣＤ等により実現される表示部２０２を備える。表示部２０２の中には、体温等の測定データを表示する測定データ表示部２０４と、測定データを通信装置１２０へ転送可能な状態であるか否かを示す転送可否表示部２０３とを備える。
【００２３】
体温計２００は、体温測定中等、測定データが定まっていない場合には、通信装置１２０への測定データの転送は行わない。測定データの転送を行うことができない場合には、図２のように表示部２０２の転送可否表示部２０３は消灯される。
【００２４】
一方、体温測定が終了し、測定データを通信装置１２０に転送可能な状態になると、表示部２０２の転送可否表示部２０３が点灯する。さらに、測定データの転送が正常に終了した場合には、再び表示部２０２の転送可否表示部２０３を消灯する。このように測定者は転送可否表示部２０３を介して体温計２００の内部状態を容易に判読することができる。
【００２５】
３．２  体温計１１０の機能構成
次に、体温計１１０の機能構成について図３を用いて説明する。
【００２６】
３０７は制御回路（ＭＰＵ：マイクロプロセッサユニット）であり、測定装置１１０全体を制御するための処理を実行する。３０８はメモリであり、ＭＰＵ３０７において実行されるプログラムや各種データが格納されている。また、ＭＰＵ３０７のワークエリアとしても用いられる。
【００２７】
センサ部（サーミスタ）１１２において測定された測定データ（体温）は、増幅器３１０、Ａ／Ｄ変換器３０９を経てＭＰＵ３０７に送られ、メモリ３０８に記憶される。
【００２８】
３０５は通信制御回路であり、ＭＰＵ３０７からの指示に基づいて動作し、通信装置１２０との間の信号の送受信を制御する。３０６はタイミング発生回路であり、通信装置１２０との無線通信に際して、通信装置１２０との間で信号の送受信の同期をとるための制御信号を出力する。
【００２９】
３０３は送信回路であり、通信装置１２０への信号の送信に際して、コンデンサ３０２における電荷の蓄積ならびに放出を制御する。３０１は送受信コイルであり、送信回路（要求信号送信手段）３０３及び受信回路（承認信号受信手段）３０４が動作することにより、通信装置１２０との間で信号の送受信を行う。
【００３０】
受信回路３０４では、タイミング発生回路３０６からの信号を受信することで、受信タイミングを図りながら、通信装置１２０からの承認信号を受信する。
【００３１】
４．通信装置１２０の無線通信に関する機能構成
次に通信装置１２０が有する上記構成のうち、測定装置１１０との無線通信に関連する構成について図４を用いて、以下詳細に説明する。
【００３２】
４０１は制御回路（ＭＰＵ）であり、通信装置１２０全体を制御するための処理を実行する。４０２はメモリであり、ＭＰＵ４０１において実行されるプログラムや各種データが格納されている。また、制御回路４０１のワークエリアとしても用いられる。
【００３３】
４０３は通信制御回路であり、制御回路４０１からの指示に基づいて動作し、測定装置１１０との間の信号の送受信を制御する。４１０はタイミング同期回路であり、測定装置１１０との通信に際して、測定装置１１０との間で信号の送受信の同期をとるための承認信号を出力する。
【００３４】
４０４は送信回路であり、測定装置１１０への送信に際して、コンデンサ４０５における電荷の蓄積ならびに放出を制御する。４０６は送信コイルであり、送信回路４０４が動作することにより、測定装置１１０に対して信号を送信する。
【００３５】
測定装置１１０より送信された信号は、受信コイル４０９とコンデンサ４０８で構成されるＬＣ回路において受信される。受信回路４０７では、タイミング発生回路４１０からの信号を受信することで、測定装置１１０との間で同期をとりながら、コンデンサ４０８に蓄積された信号を受信する。
【００３６】
５．生体情報通信システム１６０における処理の流れ
次に生体情報通信システム１６０における生体情報の転送処理の流れについて図５及び図６を用いて説明する。図５は、測定装置１１０が測定した生体情報（体温）を通信装置１２０に転送する際の信号の流れを示す図である。図６は、測定者が測定装置１１０を用いて患者の生体情報（体温）を測定し、当該測定した生体情報（体温）をベッドサイドの通信装置に転送するまでの作業を示した図である。
【００３７】
図６の状態（ａ）において、測定者６０１は患者６０２の生体情報（体温）を測定装置１１０を用いて測定する。測定された生体情報（体温）は、メモリ３０８に書き込まれ、転送可能状態となる。
【００３８】
転送可能状態となった測定装置１１０では、タイミング発生回路３０６の動作を開始させる。タイミング発生回路は、一定間隔で送信回路３０３を駆動させるための制御信号を出力する。これにより、送信回路３０３では、通信回路１２０と通信を行う際の基準タイミングとなる要求信号（５０１）の出力を開始する。
【００３９】
要求信号５０１は、コンデンサ３０２に蓄積された電荷が送信コイル３０１とコンデンサ３０２とから形成されるＬＣ回路内で共振して発生させている。
【００４０】
なお、測定装置１１０は、要求信号５０１を出力時の基準タイミングとして通信制御回路３０５により限定された期間（受信可能期間５０２）のみ受信回路３０４を動作させる。つまり、測定装置１１０では、通信装置１２０にて要求信号５０１が受信されるか否かに関わらず、転送可能状態となると一定間隔で要求信号５０１を繰り返し出力し、要求信号出力後の一定期間を受信可能期間５０２として、通信装置１２０からの承認信号の受信を待つ。
【００４１】
測定者６０１は、患者の生体情報（体温）の測定が完了すると、図６（ｂ）に示すように、測定装置１１０を通信装置１２０の通信可能範囲６０３内に近づける（通信可能範囲は、例えば１ｍ未満であるとする）。図６の状態（ｂ）は測定装置１１０が通信装置１２０の通信可能範囲６０３内に入った状態を示している。なお、通信装置１２０は、電源が投入された状態では、常時、測定装置１１０からの要求信号５０１を受信可能な状態になっているものとする（５０６参照）。
【００４２】
なお、ここで示した測定装置１１０は携帯可能なタイプであり、通信装置１２０はベッドサイドに設置された専用端末のイメージで示したが、測定装置１１０が置き型のものであるような場合には、通信装置１２０はＰＤＡ等のハンディ端末であることが望ましい。
【００４３】
状態（ｂ）では、送信コイル３０１と受信コイル４０９との間の電磁結合が成立し、通信装置１２０は測定装置１１０からの要求信号５０１を受信する。通信装置１２０のタイミング同期回路４１０は、測定装置１１０からの要求信号５０１に同期してデータを出力するために、送信回路４０４を駆動し、測定装置１１０の受信可能期間５０２内にデータ要求コマンド５０３を送信する。その後は測定装置１１０からの生体情報５０４の受信可能期間５０７に入る。なお、受信可能期間５０７は所定時間が経過しても測定装置１１０からの生体情報５０４が受信されない場合は、転送処理を停止することが好ましい。
【００４４】
測定装置１１０では、受信可能期間５０２内にデータ要求信号（承認信号）５０３を受信すると、送信コイル３０１を用いてメモリ３０８内の生体情報５０４を送信する。なお、生体情報５０４の送信は、データ形式がシリアル形式で、かつ情報の変化点のみ信号を発生するいわゆる「パルス位置変調」方式が消費電力的に有利な方式であるが、特にこれに限定されるものではなく、他の「パルス幅変調方式」、「パルス振幅変調方式」、「パルス周波数変調方式」、「パルス位相変調方式」であってもよい。
【００４５】
生体情報５０４の送信後は、通信装置１２０からＡＣＫ応答５０５を受信するための受信可能期間５０２を設ける。
【００４６】
通信装置１２０では、受信可能期間５０７内に測定装置１１０からの生体情報５０４を受信すると、測定装置１１０に対してＡＣＫ応答５０５を送信する。
【００４７】
受信可能期間５０２内に通信装置１２０よりＡＣＫ応答５０５を受信した測定装置１１０では、生体情報５０４の転送が完了したものと認識し、タイミング発生回路３０６の動作を停止し、要求信号５０１の出力を停止する（状態（ｃ））。
【００４８】
なお、状態（ｃ）において、通信装置１２０側では、測定装置１１０が通信可能範囲６０３に入った場合に、いつでも要求信号５０１を受信することができるよう、受信可能状態を維持しているものとする。
【００４９】
以上の説明から明らかなように、本実施形態によれば、測定装置１１０と通信装置１２０との間の生体情報の送信において、パルス位置変調方式を用いることにより、従来の電波を用いる無線通信と比べて大幅に消費電力を抑えることが可能となった。
【００５０】
また、生体情報を測定後、該生体情報の転送が完了するまでの間、一定間隔で要求信号を出力し、当該要求信号出力後の一定期間を通信装置１２０からの受信可能期間とする構成としているため（すなわち、受信回路の動作を限定しているため）、消費電力を更に抑えることが可能となる。
【００５１】
更に、要求信号や承認信号は、コンデンサに蓄積した電荷が送信コイルと形成されるＬＣ回路内で共振して発生させる構成としているため、電力消費を更に抑えることが可能となる。
【００５２】
なお、本実施形態では、測定装置１１０と通信装置１２０との間の生体情報の送信において、電磁送信を用いることとしているが、電磁送信に必要な電源は、自身の内部電源を用いており、ＲＦ−ＩＤを用いた場合などのように、電磁波を用いて電源供給を行う必要がないため、患者の電磁環境を乱すおそれがない。
【００５３】
また、本実施形態では、通信可能範囲を１ｍ未満とし、電磁送信による患者への影響をも配慮した構成となっている。なお、通信可能範囲を１ｍ未満とするための具体的構成については特に言及しなかったが、例えば、アンテナ輻射効率及び／またはアンテナ受電効率を調整することにより実現してもよい。また、シールドを施すことにより、通信エネルギーの放射率及び／または透過率を制限することにより実現してもよい。
【００５４】
［第２の実施形態］
上記第１の実施形態では、測定装置１１０の具体例として体温計を挙げ、生体情報＝体温の場合について説明したが、測定装置の具体例としては体温計に限られず、例えば、血圧計であってもよい。以下、測定装置が血圧計であった場合について説明する。
【００５５】
なお、生体情報収集・管理システム１００の構成、ならびに該生体情報収集・管理システム１００を構成する測定装置以外の装置（通信装置１２０、医療データサーバ１３０）は、上記第１の実施形態と同様であるため、ここでは説明を省略する。
【００５６】
１．測定装置１１０の具体的構成
１．１  血圧計１１０の外観構成
図７に測定装置１１０の１つの具体例である血圧計７００の外観構成を示す。同図において、７０１はカフであり、血圧を測定しようとする被検者の上腕または手首に巻きつけられた状態で、所定の指示が入力されると、該上腕または手首の動脈を圧迫するよう動作する。７３０はユーザインタフェース部であり、各種指示の入力を受け付けたり、各種情報（収縮期血圧値、拡張期血圧値、脈拍数、転送可否）の表示を行う。
【００５７】
同図に示すように、血圧計７００は、カフ７０１とユーザインタフェース部７３０（ならびに後述する配管ならびに制御部（図７において不図示））が一体構造となっており、軽量・小型化されている。このため、持ち運びが容易である。また、上腕または手首に確実に固定できるよう、カフ７０１にはマジックテープ(登録商標)が備えられている。このため、上腕または手首への装着／取り外しが簡単であり、被検者は気軽に測定を行うことが可能である。
【００５８】
１．２  血圧計１１０の機能構成
次に、血圧計１１０の機能構成について図８を用いて説明する。
【００５９】
８０７はＭＰＵ（マイクロプロセッサユニット）であり、血圧計全体を制御するための処理を実行する。８０８はメモリであり、ＭＰＵ８０７において実行されるプログラムや各種データが格納されている。また、ＭＰＵ８０７のワークエリアとしても用いられる。
【００６０】
カフ８１４を被検者の上腕に巻き付け、開始スイッチ８１５を押すことにより、加圧ポンプ８１１が動作し、センサ部（圧力センサ）１１２で圧力を監視しながらカフ８１４に空気を送り込む。
【００６１】
センサ部（圧力センサ）１１２において測定された測定データ（血圧）は、計測中、増幅器８１０、Ａ／Ｄ変換器８０９を経てＭＰＵ８０７に逐次送られ、メモリ８０８に記憶される。カフ８１４の内圧が所定の圧力値まで上昇すると、定速減圧弁８１２を動作させ、所定の減圧速度でカフ内圧の減圧を開始する。減圧中の圧力変化から収縮期の圧力以下と判断されると、急速減圧弁８１３を動作させ完全に圧力を解放する。その後、一連の測定データ（血圧）をメモリ８０８から読み出し、所定の処理に従い、収縮期血圧値、拡張期血圧値、脈拍数などを算出し、メモリ８０８に記憶すると共に、表示部１１４に表示する。
【００６２】
３０５は通信制御回路であり、ＭＰＵ８０７からの指示に基づいて動作し、通信装置１２０との間の信号の送受信を制御する。３０６はタイミング発生回路であり、通信装置１２０との無線通信に際して、通信装置１２０との間で信号の送受信の同期をとるための制御信号を出力する。
【００６３】
３０３は送信回路であり、通信装置１２０への信号の送信に際して、コンデンサ３０２における電荷の蓄積ならびに放出を制御する。３０１は送受信コイルであり、送信回路（要求信号送信手段）３０３及び受信回路（承認信号受信手段）３０４が動作することにより、通信装置１２０との間で信号の送受信を行う。
【００６４】
受信回路３０４では、タイミング発生回路３０６からの信号を受信することで、受信タイミングを図りながら、通信装置１２０からの信号を受信する。
【００６５】
２．生体情報通信システム１６０における処理の流れ
生体情報通信システム１６０における生体情報の転送処理の流れは、測定装置として血圧計を用いた場合であっても同様であるため、説明は省略する。
【００６６】
以上のように、測定装置として血圧計を用いても、上記第１の実施形態と同様の効果を享受することができる。
【００６７】
［その他の実施形態］
上記第１、２の実施形態では、測定装置として体温計または血圧計を具体例に挙げ、生体情報＝体温または血圧の場合について説明したが、測定装置としては、体温計または血圧計に限られず、また、生体情報として体温または血圧のほか、血糖値、血中酸素飽和度、脈拍数、心拍数、呼吸数、運動量等が含まれてもよいことはいうまでもない。
【図面の簡単な説明】
【００６８】
【図１】本発明の一実施形態にかかる生体情報収集システム１００の構成を示す図である。
【図２】測定装置１１０の一例である、体温計の外観構成を示す図である。
【図３】測定装置（体温計）の機能構成を示す図である。
【図４】通信装置の機能構成を示す図である。
【図５】生体情報通信システムにおける処理の流れを示す図である。
【図６】生体情報通信システムの使用例を示す図である。
【図７】測定装置１１０の一例である、血圧計の外観構成を示す図である。
【図８】測定装置（血圧計）の機能構成を示す図である。
【図１】
2007144142.tif 000003
【図２】
2007144142.tif 000004
【図３】
2007144142.tif 000005
【図４】
2007144142.tif 000006
【図５】
2007144142.tif 000007
【図６】
2007144142.tif 000008
【図７】
2007144142.tif 000009
【図８】
2007144142.tif 000010